(57)【要約】【課題】  二次元では表現しきれない情報を三次元的にわかりやすく伝達可能とする立体カードの提供。【解決手段】  熱可塑性の樹脂製シートを真空成型により立体的に型取りしてなる立体形状部２０と、立体形状部２０に隣接する平面により形成された平面部３０と、により、立体カード１を構成し、平面部３０の表面には、任意の文字、図形、記号を記載可能とする情報記載域３１を形成し、情報記載域３１の表面に、微細な凹凸を形成する。さらに、立体形状部２０と情報記載域３１の表面に、筆記用具による筆記を可能とする微細な凹凸を形成する。【選択図】  図１
0003180572.tif 000002
【実用新案登録請求の範囲】
【請求項１】
熱可塑性の樹脂製シートを真空成型により立体的に型取りして立体的形状を形成した立体形状部と、当該立体形状部に隣接する平面により形成された平面部と、からなり、
前記平面部の表面には、任意の文字、図形、記号を記載可能とする情報記載域が形成されていることを特徴とする立体カード。
【請求項２】
前記立体形状部に形成される立体的形状が、立体的な地図であることを特徴とする請求項１に記載の立体カード。
【請求項３】
前記平面部は、樹脂製シートにより形成されており、前記情報記載域の表面には、微細な凹凸が形成されていることを特徴とする請求項１又は請求項２に記載の立体カード。
【請求項４】
前記立体形状部の表面には、微細な凹凸が形成されていることを特徴とする請求項１から請求項３のうちのいずれかの請求項に記載の立体カード。
【考案の詳細な説明】
【技術分野】
【０００１】
本考案は、立体的に形成されて、三次元的に情報を記録した立体カードに関する。
【背景技術】
【０００２】
一般に、様々な絵入りのカード類をはじめとする印刷物が、安価な情報伝達手段として用いられている。かかるカード類として、例えば、絵入り葉書がある（例えば、非特許文献１を参照）。このような絵入りのカード類を見る者は、その絵から多くの情報を得ることができる。
【先行技術文献】
【非特許文献】
【０００３】
【非特許文献１】“郵便事業株式会社  絵入りはがき  フォトギャラリー”［２０１２年９月１８日検索］インターネット＜ＵＲＬ：ｈｔｔｐ：／／ｗｗｗ．ｐｏｓｔ．ｊａｐａｎｐｏｓｔ．ｊｐ／ｋｉｔｔｅ＿ｈａｇａｋｉ／ｈａｇａｋｉ／ｅｉｒｉ＿ｈａｇａｋｉ／ｈｏｋｋａｉｄｏ／ｉｎｄｅｘ．ｈｔｍｌ＞
【考案の概要】
【考案が解決しようとする課題】
【０００４】
しかし、このようなカード類に表現される絵は二次元的に平面上に印刷されているにすぎない。したがって、このようなカード類によって三次元的な情報を伝達しようとしても、伝達できる情報には限度があると言わざるを得ない。
本考案は、上記問題を解決するものであり、その目的とするところは、二次元では表現しきれない情報を三次元的にわかりやすく伝達可能とする立体カードを提供することである。
【課題を解決するための手段】
【０００５】
本考案は、その課題を解決するために以下のような構成をとる。請求項１の考案に係る立体カードは、熱可塑性の樹脂製シートを真空成型により立体的に型取りして立体的形状を形成した立体形状部と、当該立体形状部に隣接する平面により形成された平面部と、からなり、前記平面部の表面には、任意の文字、図形、記号を記載可能とする情報記載域が形成されていることを特徴とする。
【０００６】
立体カードは、任意の形状により形成可能である。立体カードは、例えば、三角形や四角形であっても良いし、ｎ角形（ｎ≧５）であっても良いし、円形であっても良いし、楕円形であっても良い。また、立体カードは、三角形、四角形、ｎ角形（ｎ≧５）、円形及び楕円形のうちの２つ以上の形状を組み合わせた形状であっても良い。さらに、立体カードは、様々な曲線を組み合わせて形成した形状であっても良いし、様々な曲線と直線とを組み合わせて形成した形状であっても良い。
【０００７】
立体カードのサイズは特に限定されない。例えば、立体カードのサイズは、いわゆる名刺サイズであっても良いし、定型郵便物として定められているサイズであっても良いし、定型外郵便物（第一種郵便物）として定められているサイズであっても良いし、葉書（第二種郵便物）として定められているサイズであっても良い。立体カードのサイズが、定型郵便物、定型外郵便物あるいは葉書として定められているサイズであれば、切手を貼って立体カードを郵送することも可能になる。
【０００８】
立体形状部に目的とする事物の立体的形状を形成すれば、この立体カードを見る者は、この立体カードに表された事物を三次元的に正確に把握することができる。また、立体形状部に立体的形状として形成された事物についての関連情報を、文字や図等を用いて平面部の情報記載域に記載することも可能である。立体カードを見る者は、立体形状部の立体的形状と、情報記載域に記載された情報と、から、より多くの情報を総合的に得ることができ、立体カードに表された事物をより正確に認識することができる。
【０００９】
請求項２の考案に係る立体カードは、請求項１に記載の立体カードであって、前記立体形状部に形成される立体的形状が、立体的な地図であることを特徴とする。
【００１０】
通常、地図を二次元的に表す場合、土地の高さは等高線によって表される。しかし、凹凸が入り乱れている地形においては、地図を見慣れていないと、窪んだ地形を突出した地形と間違って判断したり、突出した地形を窪んだ地形と間違って判断したりすることがある。立体形状部に地図を立体的形状として形成することによって、かかる間違った判断を簡単に防止することができる。
また、立体形状部の立体的形状として、地図と特産品等とを一緒に形成することも可能である。
【００１１】
請求項３の考案に係る立体カードは、請求項１又は請求項２に記載の立体カードであって、前記平面部は、樹脂製シートにより形成されており、前記情報記載域の表面には、微細な凹凸が形成されていることを特徴とする。
【００１２】
情報記載域の表面に微細な凹凸を形成することにより、筆記用具による情報記載域への筆記が容易化される。情報記載域の表面における微細な凹凸の形成は、例えば、インク受容性を有する合成高分子をコーティングすることによって可能である。あるいは、紙を情報記載域の表面に貼付することにより、情報記載域の表面に微細な凹凸を形成することも可能である。
水性インクや油性インクを利用する筆記用具を用いる場合、インクが情報記載域の表面の凹部に入り、情報記載域に記載した情報が定着しやすい。また、鉛筆や顔料を利用する筆記用具を用いる場合には、鉛筆や顔料の粒子が情報記載域の表面の凹部に入り、情報記載域に記載した情報が定着しやすい。
【００１３】
例えば、立体カードにおいて、立体形状部に観光地等の地図を形成し、情報記載域の表面に微細な凹凸が形成し、この情報記載域を郵便番号、住所、氏名等の記載欄とすることができる。そして、立体カードのサイズが、葉書、第一種郵便物あるいは第二種郵便物として定められているサイズであれば、かかる立体カードは、日本各地の土産物店等で販売される絵葉書に類するものとしての利用価値が高い。
【００１４】
請求項４の考案に係る立体カードは、請求項１から請求項３のうちのいずれかの請求項に記載の立体カードであって、前記立体形状部の表面には、微細な凹凸が形成されていることを特徴とする。
【００１５】
立体形状部の表面に微細な凹凸を形成することにより、筆記用具による立体形状部への筆記が容易化される。立体形状部の表面における微細な凹凸の形成は、例えば、インク受容性を有する合成高分子をコーティングすることによって可能である。
水性インクや油性インクを利用する筆記用具を用いる場合、インクが立体形状部の表面の凹部に入り、立体形状部に記載した情報が定着しやすい。また、鉛筆や顔料を利用する筆記用具を用いる場合には、鉛筆や顔料の粒子が立体形状部の表面の凹部に入り、立体形状部に記載した情報が定着しやすい。
【考案の効果】
【００１６】
上記のような立体カードであるので、二次元では表現しきれない情報を三次元的にわかりやすく伝達することが可能である。
【図面の簡単な説明】
【００１７】
【図１】立体カードの斜視図である。
【考案を実施するための形態】
【００１８】
本考案の実施の形態を図１を参照しつつ説明する。
図１に示すように、立体カード１は、長方形をなし、その短手方向の縦辺１１の長さは１２０ｍｍであり、その長手方向の横辺１２の長さは２３５ｍｍである。そして、立体カード１は、熱可塑性の樹脂製シート（例えば、ポリ塩化ビニル製のシート）によって形成されている。
立体カード１は、その長手方向の左側半分の部分が、立体形状部２０をなし、その長手方向の右側半分の部分が、平面部３０をなしている。すなわち、立体カード１において、平面部３０は立体形状部２０に隣接している。
【００１９】  立体形状部２０には、例えば、鹿児島県の桜島とその周辺の地形を示す地図が、真空成型により立体的に型取りされている。具体的には、桜島の形状が、真空成型により立体的に立体的形状２１Ａとして型取りされている。  さらに、桜島においては、（公序良俗違反につき、不掲載）が特産品として収穫される。型取りされた立体的形状２１Ａの上には、桜島で収穫される（公序良俗違反につき、不掲載）の形状が、やはり真空成型により立体的に立体的形状２１Ｂとして型取りされている。立体的形状２１Ｂの位置は、桜島における（公序良俗違反につき、不掲載）の生産地域に該当している。
【００２０】  また、立体的形状２１Ａの周囲には、海である錦江湾が、真空成型により平面的に型取りされている。なお、立体形状部２０の最大厚さは、１０ｍｍとなっている。  なお、立体形状部２０には、真空成型により平面的に型取りする前に、あらかじめ、桜島の地形とその周辺の錦江湾及び（公序良俗違反につき、不掲載）が印刷されている。  そして、立体形状部２０の表面には、インク受容性を有する透明な合成高分子がコーティングされている。この合成高分子のコーティングによって、筆記用具による筆記を可能とする微細な凹凸が、立体形状部２０の表面に形成されている。
【００２１】
平面部３０には、情報記載域３１が形成されている。そして、情報記載域３１の表面には、インク受容性を有する白色の合成高分子がコーティングされている。この合成高分子のコーティングによって、筆記用具による筆記を可能とする微細な凹凸が、情報記載域３１の表面に形成されている。さらに、情報記載域３１の右上部分には郵便番号記載用の欄（図示せず）が印刷されている。
【００２２】
立体カード１は以上述べた構成を有している。次に、その作用効果について説明する。
立体カード１の情報記載域３１には、例えば、郵便番号、住所、氏名を筆記用具により記載し、切手を貼って郵便物として投函することができる。なお、立体カード１の縦、横、厚さは、それぞれ１２０ｍｍ、２３５ｍｍ、１０ｍｍであるので、第一種郵便物として立体カード１を郵送可能である。
【００２３】  筆記用具を用いて情報記載域３１に記載した情報は、情報記載域３１に形成した微細な凹凸によって定着し、消えにくい。  立体カード１を見る者は、立体形状部２０に形成された立体的形状２１Ａから、桜島の地形に関する情報を、視覚的に簡単に把握することができる。また、立体的形状２１Ａを手で触ることにより、桜島の地形に関する情報を、触覚的にも簡単に把握することができる。さらに、立体的形状２１Ｂを介して、桜島で収穫される（公序良俗違反につき、不掲載）についての情報をも取得することができる。
【００２４】
また、必要に応じて、立体形状部２０に、任意の情報を筆記用具により記載することができる。例えば、桜島に存在する観光地や商業施設の場所等の情報を立体形状部２０の上に筆記用具により記載することができる。あるいは、桜島の中の訪れた場所や移動したルート等の情報を立体形状部２０の上に筆記用具により記載することができる。筆記用具を用いて立体形状部２０に記載した情報は、立体形状部２０に形成した微細な凹凸によって定着し、消えにくい。
【００２５】  本実施の形態においては、立体形状部２０に桜島、（公序良俗違反につき、不掲載）及び錦江湾を形成し、情報記載域３１に郵便番号、住所、氏名を記載するとした。これに代えて、立体形状部２０に商品の形状を立体的に形成し、情報記載域３１にその商品に関する情報等を記載し、立体カード１を商品の広告や案内に用いることも可能である。  通常のチラシやパンフレットでは、商品が紙面の上に二次元的に表されているにすぎない。これに対して、立体カード１を用いることによって、広告対象の商品を三次元的に表すことができるので、商品の消費者に対するインパクトが大きくなる。
【産業上の利用可能性】
【００２６】
上記のような立体カードであるので、立体的な事物に関する情報を三次元的に伝達可能な立体カードとして有用である。
【符号の説明】
【００２７】  １    立体カード  １１    立体カードの短手方向の縦辺  １２    立体カードの長手方向の横辺  ２０    立体形状部  ２１Ａ    桜島を表す立体的形状  ２１Ｂ    （公序良俗違反につき、不掲載）を表す立体的形状  ３０    平面部  ３１    情報記載域
【図１】
0003180572.tif 000003
【手続補正書】
【提出日】平成24年10月30日(2012.10.30)
【手続補正１】
【補正対象書類名】明細書
【補正対象項目名】００１９
【補正方法】変更
【補正の内容】
【００１９】
立体形状部２０には、例えば、鹿児島県の桜島とその周辺の地形を示す地図が、真空成型により立体的に型取りされている。具体的には、桜島の形状が、真空成型により立体的に立体的形状２１Ａとして型取りされている。
さらに、桜島においては、小型のみかんが特産品として収穫される。型取りされた立体的形状２１Ａの上には、桜島で収穫される小型のみかんの形状が、やはり真空成型により立体的に立体的形状２１Ｂとして型取りされている。立体的形状２１Ｂの位置は、桜島における小型のみかんの生産地域に該当している。
【手続補正２】
【補正対象書類名】明細書
【補正対象項目名】００２０
【補正方法】変更
【補正の内容】
【００２０】
また、立体的形状２１Ａの周囲には、海である錦江湾が、真空成型により平面的に型取りされている。なお、立体形状部２０の最大厚さは、１０ｍｍとなっている。
なお、立体形状部２０には、真空成型により平面的に型取りする前に、あらかじめ、桜島の地形とその周辺の錦江湾及び小型のみかんが印刷されている。
そして、立体形状部２０の表面には、インク受容性を有する透明な合成高分子がコーティングされている。この合成高分子のコーティングによって、筆記用具による筆記を可能とする微細な凹凸が、立体形状部２０の表面に形成されている。
【手続補正３】
【補正対象書類名】明細書
【補正対象項目名】００２３
【補正方法】変更
【補正の内容】
【００２３】
筆記用具を用いて情報記載域３１に記載した情報は、情報記載域３１に形成した微細な凹凸によって定着し、消えにくい。
立体カード１を見る者は、立体形状部２０に形成された立体的形状２１Ａから、桜島の地形に関する情報を、視覚的に簡単に把握することができる。また、立体的形状２１Ａを手で触ることにより、桜島の地形に関する情報を、触覚的にも簡単に把握することができる。さらに、立体的形状２１Ｂを介して、桜島で収穫される小型のみかんについての情報をも取得することができる。
【手続補正４】
【補正対象書類名】明細書
【補正対象項目名】００２５
【補正方法】変更
【補正の内容】
【００２５】
本実施の形態においては、立体形状部２０に桜島、小型のみかん及び錦江湾を形成し、情報記載域３１に郵便番号、住所、氏名を記載するとした。これに代えて、立体形状部２０に商品の形状を立体的に形成し、情報記載域３１にその商品に関する情報等を記載し、立体カード１を商品の広告や案内に用いることも可能である。
通常のチラシやパンフレットでは、商品が紙面の上に二次元的に表されているにすぎない。これに対して、立体カード１を用いることによって、広告対象の商品を三次元的に表すことができるので、商品の消費者に対するインパクトが大きくなる。
【手続補正５】
【補正対象書類名】明細書
【補正対象項目名】００２７
【補正方法】変更
【補正の内容】
【００２７】
１    立体カード
１１    立体カードの短手方向の縦辺
１２    立体カードの長手方向の横辺
２０    立体形状部
２１Ａ    桜島を表す立体的形状
２１Ｂ    小型のみかんを表す立体的形状
３０    平面部
３１    情報記載域